(57)【特許請求の範囲】
【請求項１】
無線方式および周波数帯域の少なくともいずれかが異なる複数の無線インターフェースにより通信可能な移動局において、
前記複数の無線インターフェースを同時に用いて通信する同時通信の決定条件であって自局と通信状態と前記無線インターフェースの数とを対応付ける対応情報をパラメータに含む決定条件を基地局から受信する受信部と、
前記同時通信に用いる前記無線インターフェースの数を、前記受信部によって受信された決定条件に含まれる前記対応情報および自局の通信状態に基づいて決定する決定部と、
前記決定部によって決定された数の無線インターフェースを同時に用いて前記同時通信を行う通信部と、
を備えることを特徴とする移動局。
【請求項２】
前記決定条件は、前記複数の無線インターフェースの優先度を示す優先度情報を含み、
前記決定部は、前記優先度情報に基づいて、前記同時通信に用いる無線インターフェースを決定し、
前記通信部は、前記決定部によって決定された無線インターフェースを用いて前記同時通信を行うことを特徴とする請求項１に記載の移動局。
【請求項３】
前記決定部による決定結果を基地局へ送信する送信部を備え、
前記通信部は、前記送信部によって送信された決定結果に基づく前記基地局の制御によって前記同時通信を行うことを特徴とする請求項１に記載の移動局。
【請求項４】
前記決定条件は、前記同時通信に用いられる無線インターフェースの候補を示す候補情報を含み、
前記候補情報に基づいて、前記候補の無線インターフェースの待ち受け処理を実行し、前記複数の無線インターフェースのうちの前記候補とは異なる無線インターフェースの待ち受け処理を停止する待ち受け部を備えることを特徴とする請求項１に記載の移動局。
【請求項５】
前記決定部によって決定された無線インターフェースに対応する基地局へ前記決定された無線インターフェースの通信品質を通知し、前記複数の無線インターフェースのうちの前記決定された無線インターフェースと異なる基地局へは通信品質を通知しない通知部を備えることを特徴とする請求項１に記載の移動局。
【請求項６】
無線方式および周波数帯域の少なくともいずれかが異なる複数の無線インターフェースにより通信可能な移動局との間で無線通信を行う基地局において、
前記複数の無線インターフェースを同時に用いて通信する同時通信の決定条件であって前記移動局の通信状態と前記無線インターフェースの数とを対応付ける対応情報をパラメータに含む決定条件を前記移動局へ送信する送信部と、
前記送信部によって送信された決定条件に基づいて前記同時通信の実行を決定したことを示す同時通信通知であって、前記対応情報および前記移動局の通信状態に基づいて前記移動局によって決定された前記同時通信に用いる前記無線インターフェースの数を示す同時通信通知を前記移動局から受信する受信部と、
前記受信部によって受信された同時通信通知に基づいて前記同時通信の制御を行う制御部と、
を備えることを特徴とする基地局。
【請求項７】
無線方式および周波数帯域の少なくともいずれかが異なる複数の無線インターフェースにより通信可能な移動局と、
前記移動局との間で無線通信を行う基地局と、
を含み、
前記基地局は、前記複数の無線インターフェースを同時に用いて通信する同時通信の決定条件であって前記移動局の通信状態と前記無線インターフェースの数とを対応付ける対応情報をパラメータに含む決定条件を前記移動局へ送信し、
前記移動局は、前記同時通信に用いる前記無線インターフェースの数を、前記基地局によって送信された決定条件に含まれる前記対応情報および自局の通信状態に基づいて決定し、決定した数の無線インターフェースを同時に用いて前記同時通信を行う、
ことを特徴とする通信システム。
【請求項８】
無線方式および周波数帯域の少なくともいずれかが異なる複数の無線インターフェースにより通信可能な移動局と、前記移動局との間で無線通信を行う基地局と、を含む通信システムの通信方法において、
前記基地局が、前記複数の無線インターフェースを同時に用いて通信する同時通信の決定条件であって前記移動局の通信状態と前記無線インターフェースの数とを対応付ける対応情報をパラメータに含む決定条件を前記移動局へ送信し、
前記移動局が、前記同時通信に用いる前記無線インターフェースの数を、前記基地局によって送信された決定条件に含まれる前記対応情報および自局の通信状態に基づいて決定し、決定した数の無線インターフェースを同時に用いて前記同時通信を行う、
ことを特徴とする通信方法。
【発明の詳細な説明】
【技術分野】
【０００１】
本発明は、無線通信を行う移動局、基地局、通信システムおよび通信方法に関する。
【背景技術】
【０００２】
無線通信技術においては、新しいシステムを定義してより広帯域な周波数を用いた上で帯域当りの情報ビット数を増やすことでスループット向上が図られている。また、新しいシステムの導入時に、既存のシステムと連携（同時通信）してスループットを向上させる技術もある（たとえば、下記特許文献１参照。）。新しいシステムと既存のシステムとを連携する技術としては、複数のシステム間の連携や、複数帯域間の連携などがある。
【０００３】
たとえば、基地局は、移動局の通信状態を収集し、収集した通信状態に基づいて新しいシステムと既存のシステムとの連携の実行を決定し、決定結果を移動局や周辺の基地局へ通知することによって同時通信を制御する。
【先行技術文献】
【特許文献】
【０００４】
【特許文献１】特開平６−０４５９９１号公報
【発明の概要】
【発明が解決しようとする課題】
【０００５】
しかしながら、上述した従来技術では、基地局において同時通信の決定を行うために、移動局は自局の通信状態を基地局へ通知することになる。このため、制御チャネルの無線資源が圧迫され、データ通信のスループットが劣化するという問題がある。また、移動局が基地局へ通信状態を通知する頻度を低くすると、同時通信のトリガが遅れて同時通信を効果的に行うことができないという問題がある。
【０００６】
たとえば、ＶｏＩＰ（Ｖｏｉｃｅ  ｏｖｅｒ  ＩＰ）ベアラの遅延耐性を１００［ｍｓ］であり、移動局による基地局への通信状態の通知周期を数百［ｍｓ］ならば、同時通信のトリガの遅れによって数パケットの欠損が生じることがあり、特性劣化につながる。
【０００７】
開示の移動局、基地局、通信システムおよび通信方法は、上述した問題点を解消するものであり、スループットを向上させることを目的とする。
【課題を解決するための手段】
【０００８】
上述した課題を解決し、目的を達成するため、開示技術は、無線方式および周波数帯域の少なくともいずれかが異なる複数の無線インターフェースにより通信可能な移動局が、前記複数の無線インターフェースを同時に用いて通信する同時通信の実行を自局の通信状態に基づいて決定し、前記移動局との間で無線通信を行う基地局が、前記移動局によって決定された前記同時通信の制御を行うことを要件とする。
【発明の効果】
【０００９】
開示の移動局、基地局、通信システムおよび通信方法によれば、スループットを向上させることができるという効果を奏する。
【図面の簡単な説明】
【００１０】
【図１】実施の形態にかかる通信システムを示すブロック図である。
【図２】通信システムの動作の一例を示すシーケンス図である。
【図３】同時通信数の対応情報の一例を示す図である。
【図４】無線インターフェースの優先度情報の一例を示す図である。
【図５】同時通信通知の一例を示す図である。
【図６】移動局の構成例を示すブロック図である。
【図７】同時通信の制御を行う基地局を示すブロック図である。
【図８】同時通信に参加する基地局を示すブロック図である。
【図９】移動局の動作の一例を示すフローチャートである。
【図１０】同時通信の制御を行う基地局による決定条件の送信動作の一例を示すフローチャートである。
【図１１】同時通信の制御を行う基地局による同時通信の制御動作の一例を示すフローチャートである。
【図１２】同時通信に参加する基地局による動作の一例を示すフローチャートである。
【図１３】基地局による優先度情報の生成動作の具体例１を示すフローチャートである。
【図１４】基地局による優先度情報の生成動作の具体例２を示すフローチャートである。
【図１５】基地局による優先度情報の生成動作の具体例３を示すフローチャートである。
【図１６】基地局による優先度情報の生成動作の具体例４を示すフローチャートである。
【図１７】基地局による優先度情報の生成動作の具体例５を示すフローチャートである。
【図１８】基地局による対応情報の生成動作の具体例を示すフローチャートである。
【図１９】負荷情報の平均値と対応情報の対応テーブルの具体例１を示す図である。
【図２０】同時通信数の対応情報の具体例１を示す図である。
【図２１】同時通信数の対応情報の具体例２を示す図である。
【図２２】負荷情報の平均値と対応情報の対応テーブルの具体例２を示す図である。
【図２３】同時通信数の対応情報の具体例３を示す図である。
【図２４】同時通信の実行条件情報の具体例を示す図である。
【図２５】ブロードキャストによる決定条件の送信を示す図である。
【図２６】図２５に示した決定条件の送信を示すシーケンス図である。
【図２７】ユニキャストによる決定条件の送信を示す図である。
【図２８】図２７に示した決定条件の送信を示すシーケンス図である。
【発明を実施するための形態】
【００１１】
以下に添付図面を参照して、開示技術の好適な実施の形態を詳細に説明する。開示技術は、移動局の通信状態に基づく同時通信の決定を移動局側で行うことで、移動局から基地局へ通信状態を通知しなくても同時通信の決定を可能にし、スループットを向上させる。
【００１２】
（実施の形態）
（通信システムについて）
図１は、実施の形態にかかる通信システムを示すブロック図である。図１に示すように、実施の形態にかかる通信システム１００は、移動局１１０と、ＬＴＥ基地局１２０と、ＷｉＭＡＸ基地局１３０と、コアネットワーク１４０と、を含んでいる。ＬＴＥ基地局１２０、ＷｉＭＡＸ基地局１３０およびコアネットワーク１４０は、たとえば有線ネットワークによって接続されている。ここでは、移動局１１０がＬＴＥ基地局１２０との間で通信中であるとする。
【００１３】
＜移動局について＞
移動局１１０は、無線方式および周波数帯域の少なくともいずれかが異なる無線インターフェースにより通信可能な移動局である。複数の無線インターフェースには、たとえば、ＬＴＥ基地局１２０との間で行うＬＴＥ方式の無線通信の各周波数帯域や、ＷｉＭＡＸ基地局１３０との間で行うＷｉＭＡＸ方式の無線通信の各周波数帯域が含まれる。このように、移動局１１０が使用可能な複数の無線インターフェースには、異なる基地局に対応する各無線インターフェースが含まれていてもよい。
【００１４】
また、移動局１１０は、複数の無線インターフェースを同時に使用して通信を行う同時通信（パラレル伝送）を行う。たとえば、移動局１１０は、コアネットワーク１４０との間のデータ通信を同時通信によって行う。これにより、コアネットワーク１４０との間のデータ通信のスループットを向上させることができる。また、移動局１１０は、使用するベアラ（通信サービス）ごとに同時通信を行ってもよい。
【００１５】
また、移動局１１０は、同時通信の実行の決定を自局の通信状態に基づいて行う。同時通信の決定は、たとえば、同時通信を実行するか否かの決定である。また、同時通信の実行の決定には、同時通信で用いる無線インターフェースの数（同時通信数）の決定や、同時通信で用いる無線インターフェースの決定などが含まれていてもよい。移動局１１０の通信状態は、たとえば、ＱｏＳ（Ｑｕａｌｉｔｙ  ｏｆ  Ｓｅｒｖｉｃｅ）に含まれるパラメータなどの通信品質である。ＱｏＳに含まれるパラメータには、たとえばパケットの伝送待ちを示す最大遅延値などがある。
【００１６】
移動局１１０は、同時通信の決定結果を示す同時通信通知をＬＴＥ基地局１２０へ送信する。また、移動局１１０は、同時通信の決定条件であって、自局の通信状態をパラメータに含む決定条件を通信システム１００から受信してもよい。この場合は、移動局１１０は、受信した決定条件と自局の通信状態とに基づいて同時通信の決定を行う。
【００１７】
また、移動局１１０は、複数の無線インターフェースの移動局１１０における各通信品質を取得してもよい。各通信品質は、たとえば信号対干渉雑音比を示すＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）や、移動局１１０のデータバッファ残量を示すＢＳＲ（Ｂｕｆｆｅｒ  Ｓｔａｔｕｓ  Ｒｅｐｏｒｔ）などである。移動局１１０は、取得した通信品質が閾値未満の無線インターフェースを除外して、同時通信に用いる無線インターフェースを決定する。
【００１８】
＜同時通信の制御を行う基地局について＞
ＬＴＥ基地局１２０は、移動局１１０との間で無線通信を行う。また、ＬＴＥ基地局１２０は、移動局１１０によって決定された同時通信の制御を行う。同時通信の制御は、たとえばＬＴＥ基地局１２０の無線制御部によって行われる。
【００１９】
具体的には、ＬＴＥ基地局１２０は、移動局１１０によって決定された同時通信において用いられる無線インターフェースに対応する基地局へ、移動局１１０の同時通信の設定を指示する同時通信設定指示を送信する。たとえば、同時通信において用いられる無線インターフェースにＷｉＭＡＸ基地局１３０が含まれていた場合は、ＬＴＥ基地局１２０はＷｉＭＡＸ基地局１３０へ同時通信設定指示を送信する。
【００２０】
また、ＬＴＥ基地局１２０は、移動局１１０における同時通信の決定条件であって、移動局１１０の通信状態をパラメータに含む決定条件を移動局１１０へ送信してもよい。たとえば、ＬＴＥ基地局１２０は、移動局１１０が使用可能な各無線インターフェースに対応する負荷量（トラフィック量）を示す負荷情報を取得する。負荷情報は、たとえば、使用可能な無線帯域のうち、実際に通信で使用している無線帯域の比率を示す無線使用率である。また、負荷情報は、ＧＢＲ（Ｇｕａｒａｎｔｅｅ  Ｂｉｔ  Ｒａｔｅ：保証伝送速度）における無線帯域使用率やセルスループットなどであってもよい。
【００２１】
たとえば、ＬＴＥ基地局１２０は、ＷｉＭＡＸ基地局１３０が対応する各無線インターフェースの負荷情報をＷｉＭＡＸ基地局１３０から受信する。また、ＬＴＥ基地局１２０は、ＬＴＥ基地局１２０が対応する無線インターフェースの負荷情報を自装置の管理情報から取得する。ＬＴＥ基地局１２０は、取得した負荷情報に基づいて同時通信の決定条件を生成する。ＬＴＥ基地局１２０は、生成した決定条件を移動局１１０へ送信する。
【００２２】
同時通信の決定条件には、たとえば、移動局１１０の通信状態と同時通信数（無線インターフェースの数）とを対応付ける対応情報が含まれる。対応情報においては、たとえば、移動局１１０の通信状態が良好なほど同時通信数が小さくなるように設定する。これにより、移動局１１０の通信状態が悪化した場合には同時通信数を増加させてスループットを維持させることができる。
【００２３】
また、同時通信の決定条件には、たとえば、移動局１１０が使用可能な各無線インターフェースの優先度を示す優先度情報が含まれていてもよい。優先度情報においては、たとえば、基地局側の負荷量が小さい無線インターフェースほど優先度が高くなるように設定される。これにより、同時通信に用いる無線インターフェースとして負荷量が小さい無線インターフェースが優先的に決定され、トラフィックを分散してスループットを向上させることができる。
【００２４】
＜同時通信に参加する基地局について＞
ＷｉＭＡＸ基地局１３０は、ＬＴＥ基地局１２０の周辺に設けられた周辺基地局である。ＷｉＭＡＸ基地局１３０は、ＷｉＭＡＸ基地局１３０が対応する無線インターフェースの負荷情報をＬＴＥ基地局１２０へ送信する。ＬＴＥ基地局１２０への負荷情報の送信は、たとえば、定期的に行ってもよいし、ＬＴＥ基地局１２０からの問い合わせに応じて行ってもよい。
【００２５】
また、ＷｉＭＡＸ基地局１３０は、ＬＴＥ基地局１２０から同時通信設定指示を受信すると、移動局１１０における同時通信に参加する。具体的には、ＷｉＭＡＸ基地局１３０は、移動局１１０との間で無線通信を行うことにより、移動局１１０とＬＴＥ基地局１２０との間の通信を中継する。これにより、移動局１１０は、移動局１１０の無線インターフェースとＷｉＭＡＸ基地局１３０の無線インターフェースとを同時に用いる同時通信を行うことができる。また、ＷｉＭＡＸ基地局１３０は、コアネットワーク１４０との間で通信を行い、移動局１１０とコアネットワーク１４０との間の通信を中継してもよい。
【００２６】
ここでは、ＬＴＥ基地局１２０が対応する無線インターフェースとＷｉＭＡＸ基地局１３０が対応する無線インターフェースとを同時に用いる同時通信について説明したが、同時通信の形態はこれに限らない。たとえば、移動局１１０は、ＬＴＥ基地局１２０が対応する複数の帯域の各無線インターフェースを同時に用いる同時通信を行ってもよい。
【００２７】
また、ここでは、移動局１１０が無線通信を行うことができる基地局としてＬＴＥ基地局１２０およびＷｉＭＡＸ基地局１３０を例示したが、基地局の方式はこれらに限らず、たとえばＷ−ＣＤＭＡ方式の基地局（たとえば図２参照）などを用いてもよい。
【００２８】
図２は、通信システムの動作の一例を示すシーケンス図である。ここでは、まず、移動局１１０が、ＬＴＥ基地局１２０の中継によりコアネットワーク１４０とデータ通信を行っているとする（ステップＳ２０１）。また、ＬＴＥ基地局１２０には、ＷｉＭＡＸ基地局１３０およびＷ−ＣＤＭＡ基地局２１０が周辺基地局として登録されているとする。つぎに、ＬＴＥ基地局１２０が、ＷｉＭＡＸ基地局１３０およびＷ−ＣＤＭＡ基地局２１０から送信された負荷情報を受信する（ステップＳ２０２）。
【００２９】
つぎに、ＬＴＥ基地局１２０が、ステップＳ２０２によって受信された負荷情報に基づいて各無線インターフェースの優先度を決定し、決定した優先度を示す優先度情報を生成する（ステップＳ２０３）。また、ＬＴＥ基地局１２０が、ステップＳ２０２によって受信された負荷情報に基づいて、移動局１１０の通信状態と同時通信数（無線インターフェースの数）とを対応付けた対応情報を生成する（ステップＳ２０４）。
【００３０】
つぎに、ＬＴＥ基地局１２０が、ステップＳ２０３によって生成された優先度情報と、ステップＳ２０４によって生成された対応情報と、を含む同時通信の決定条件を移動局１１０へ送信する（ステップＳ２０５）。つぎに、移動局１１０が、自局の通信状態と、ステップＳ２０５によって送信された決定条件に含まれる対応情報と、に基づいて同時通信数を決定する（ステップＳ２０６）。ここでは、同時通信数が３に決定されたとする。
【００３１】
つぎに、移動局１１０が、ステップＳ２０５によって送信された決定条件に含まれる優先度情報と、ステップＳ２０６によって決定された同時通信数と、に基づいて同時通信に用いる無線インターフェースを決定する（ステップＳ２０７）。ここでは、ＬＴＥ基地局１２０における２つの帯域の無線インターフェースと、ＷｉＭＡＸ基地局１３０における１つの帯域の無線インターフェースと、が決定されたとする。
【００３２】
つぎに、移動局１１０が、ステップＳ２０７によって決定された無線インターフェースによって同時通信を行うことを示す同時通信通知をＬＴＥ基地局１２０へ送信する（ステップＳ２０８）。つぎに、ＬＴＥ基地局１２０が、ステップＳ２０８によって通知された無線インターフェースに対応する基地局へ同時通信設定指示を送信する（ステップＳ２０９）。ここでは、通知された無線インターフェースに対応する基地局はＬＴＥ基地局１２０およびＷｉＭＡＸ基地局１３０であるため、ＬＴＥ基地局１２０は、自局とは異なるＷｉＭＡＸ基地局１３０へ同時通信設定指示を送信する。また、ＬＴＥ基地局１２０は、移動局１１０へ同時通信応答を送信する（ステップＳ２１０）。
【００３３】
つぎに、移動局１１０が、ＷｉＭＡＸ基地局１３０との間で行う同時通信の準備処理を行う（ステップＳ２１１）。たとえば、移動局１１０とＷｉＭＡＸ基地局１３０との間でＳＩＮＲやＢＳＲなどの通信品質の通知が行われる。つぎに、移動局１１０が、ＬＴＥ基地局１２０およびＷｉＭＡＸ基地局１３０との同時通信によるデータ通信を開始する。具体的には、移動局１１０は、ＬＴＥ基地局１２０との間で直接データ通信を行う（ステップＳ２１２）と同時に、ＷｉＭＡＸ基地局１３０を介してＬＴＥ基地局１２０との間でデータ通信を行う（ステップＳ２１３）。
【００３４】
ＬＴＥ基地局１２０は、アンカーとして動作し、移動局１１０とコアネットワーク１４０との間のデータ通信を中継する（ステップＳ２１４）。具体的には、ＬＴＥ基地局１２０は、移動局１１０からコアネットワーク１４０へのＵＬ（Ｕｐ  Ｌｉｎｋ）においては、移動局１１０から直接受信したデータと、移動局１１０からＷｉＭＡＸ基地局１３０を介して受信したデータと、を結合してコアネットワーク１４０へ送信する。
【００３５】
また、ＬＴＥ基地局１２０は、コアネットワーク１４０から移動局１１０へのＤＬ（Ｄｏｗｎ  Ｌｉｎｋ）においては、コアネットワーク１４０から受信したデータを分離する。そして、ＬＴＥ基地局１２０は、分離した各データの一方を移動局１１０へ直接送信するとともに、分離した各データの他方を、ＷｉＭＡＸ基地局１３０を介して移動局１１０へ送信する。これにより、移動局１１０は、ＬＴＥ基地局１２０およびＷｉＭＡＸ基地局１３０との同時通信によってコアネットワーク１４０とデータ通信を行うことができる。
【００３６】
また、ステップＳ２０２による負荷情報の収集は周期的に行ってもよい。この場合は、ＬＴＥ基地局１２０は、ステップＳ２０３，Ｓ２０４による同時通信の決定条件の生成およびステップＳ２０５による同時通信の決定条件の移動局１１０への送信を周期的に行う。そして、移動局１１０は、ステップＳ２０６，Ｓ２０７による同時通信の決定およびステップＳ２０８による同時通信通知の送信を周期的に行う。
【００３７】
ここでは、ステップＳ２０２によってＬＴＥ基地局１２０がＷｉＭＡＸ基地局１３０およびＷ−ＣＤＭＡ基地局２１０の負荷情報を収集する場合について説明したが、負荷情報を取得する方法はこれに限らない。たとえば、ＬＴＥ基地局１２０は、ＬＴＥに規定されたＮＣＬ（Ｎｅｉｇｈｂｏｒｉｎｇ  Ｃｅｌｌ  Ｌｉｓｔ）によって、ＷｉＭＡＸ基地局１３０およびＷ−ＣＤＭＡ基地局２１０との間で負荷情報を共有するようにしてもよい。
【００３８】
図３は、同時通信数の対応情報の一例を示す図である。図３に示すテーブル３００は、図２のステップＳ２０４によって生成される通信状態と同時通信数の対応情報の一例である。ここでは、移動局１１０の通信状態としてパケットの伝送待ちの最大伝送遅延量を用いる場合について説明する。テーブル３００においては、パケットの伝送待ちの最大伝送遅延量（伝送遅延）の各範囲ごとに同時通信数が対応付けられている。
【００３９】
たとえば、テーブル３００は、移動局１１０における最大伝送遅延量が０〜１００［ｍｓ］である場合は、移動局１１０において同時通信数を１に決定すべきことを示している。この場合は、移動局１１０は、１つの無線インターフェースを用いて通信を行い、同時通信は行わない。また、テーブル３００は、移動局１１０における最大伝送遅延量が１０１〜２００［ｍｓ］である場合は、移動局１１０において同時通信数を２に決定すべきことを示している。この場合は、移動局１１０は、２つの無線インターフェースを同時に用いる同時通信を行う。
【００４０】
図４は、無線インターフェースの優先度情報の一例を示す図である。図４に示すテーブル４００は、図２のステップＳ２０３によって生成される無線インターフェースの優先度情報の一例である。テーブル４００において、「ＬＴＥ  Ｂａｎｄ１」および「ＬＴＥ  Ｂａｎｄ２」は、ＬＴＥ基地局１２０との間の通信の各帯域を示している。
【００４１】
「ＷｉＭＡＸ」は、ＷｉＭＡＸ基地局１３０との間の通信を示している。「Ｗ−ＣＤＭＡ  Ｂａｎｄ１」および「Ｗ−ＣＤＭＡ  Ｂａｎｄ２」は、Ｗ−ＣＤＭＡ基地局２１０との間の通信の各帯域を示している。テーブル４００は、「ＬＴＥ  Ｂａｎｄ１」、「ＬＴＥ  Ｂａｎｄ２」、「ＷｉＭＡＸ」、「Ｗ−ＣＤＭＡ  Ｂａｎｄ１」、「Ｗ−ＣＤＭＡ  Ｂａｎｄ２」、…の順に優先度が高いことを示している。
【００４２】
図３，図４に示したテーブル３００，４００は、図２のステップＳ２０５によって、同時通信の決定条件として移動局１１０へ送信される。移動局１１０は、図２のステップＳ２０６において、テーブル３００に基づいて同時通信数を決定する。たとえば、移動局１１０における最大伝送遅延値が４０［ｍｓ］である場合は、移動局１１０は、同時通信数を１に決定する。また、移動局１１０における最大伝送遅延値が２２０［ｍｓ］である場合は、移動局１１０は、同時通信数を３に決定する。
【００４３】
また、移動局１１０は、図２のステップＳ２０７において、決定した同時通信数とテーブル４００に基づいて同時通信に用いる無線インターフェースを決定する。たとえば、決定した同時通信数が１である場合は、テーブル４００において優先度が最も高い「ＬＴＥ  Ｂａｎｄ１」を通信に用いる無線インターフェースとして決定する。
【００４４】
また、移動局１１０は、テーブル４００の各無線インターフェースのうちの通信品質が閾値以上の無線インターフェースを同時通信に用いる無線インターフェースとして決定してもよい。たとえば、「ＬＴＥ  Ｂａｎｄ１」の通信品質が閾値未満であり、「ＬＴＥ  Ｂａｎｄ２」の通信品質が閾値以上であったとする。この場合は、移動局１１０は、通信品質が閾値以上の無線インターフェースの中で優先度が最も高い「ＬＴＥ  Ｂａｎｄ１」を通信に用いる無線インターフェースとして決定する。
【００４５】
また、移動局１１０は、決定した同時通信数が３である場合は、テーブル４００において優先度が３番目までの「ＬＴＥ  Ｂａｎｄ１」、「ＬＴＥ  Ｂａｎｄ２」および「ＷｉＭＡＸ」を同時通信に用いる無線インターフェースとして決定する。また、「ＬＴＥ  Ｂａｎｄ１」の通信品質が閾値未満であり、「ＬＴＥ  Ｂａｎｄ２」、「ＷｉＭＡＸ」および「Ｗ−ＣＤＭＡ  Ｂａｎｄ１」の通信品質が閾値以上であったとする。この場合は、移動局１１０は、通信品質が閾値以上の無線インターフェースの中で優先度が３番目までの「ＬＴＥ  Ｂａｎｄ２」、「ＷｉＭＡＸ」および「Ｗ−ＣＤＭＡ  Ｂａｎｄ１」を同時通信に用いる無線インターフェースとして決定する。
【００４６】
また、テーブル３００，４００のそれぞれは、移動局１１０が使用するベアラごとに決定されてもよい。ベアラは、たとえば、ＶｏＩＰ、ＢＥ（Ｂｅｓｔ  Ｅｆｆｏｒｔ）およびＧａｍｉｎｇなどの各種の通信サービスを実現する無線リンクである。移動局１１０は、同時通信数の決定と、使用する無線インターフェースの決定と、をベアラごとに行う。
【００４７】
図５は、同時通信通知の一例を示す図である。図５に示すテーブル５００は、図２のステップＳ２０８によって移動局１１０からＬＴＥ基地局１２０へ送信される同時通信通知の一例である。テーブル５００は、移動局１１０が使用するベアラごとに、同時通信数および無線インターフェースが対応付けられた通信システムマッピングである。
【００４８】
ここでは、テーブル５００には、各種の通信を制御する制御信号と、音声通信を行うＶｏＩＰと、ベストエフォート型の通信を行うＢＥと、がベアラとして含まれている。テーブル５００の同時通信数は、図２のステップＳ２０６によって決定される同時通信数である。テーブル５００の無線インターフェースは、図２のステップＳ２０７によって決定される無線インターフェースである。
【００４９】
テーブル５００は、ステップＳ２０８によって、同時通信通知として移動局１１０からＬＴＥ基地局１２０へ送信される。ＬＴＥ基地局１２０は、同時通信通知としてテーブル５００を受信すると、ステップＳ２０９によって、テーブル５００に含まれる無線インターフェースに対応する基地局のうちの自局以外の基地局へ同時通信設定指示を送信する。
【００５０】
たとえば、テーブル５００の例では、無線インターフェースに対応する基地局はＬＴＥ基地局１２０（ＬＴＥ  Ｂａｎｄ１，２）、ＷｉＭＡＸ基地局１３０（ＷｉＭＡＸ）およびＷ−ＣＤＭＡ基地局２１０（Ｗ−ＣＤＭＡ  Ｂａｎｄ１）である。したがって、ＬＴＥ基地局１２０は、ＷｉＭＡＸ基地局１３０およびＷ−ＣＤＭＡ基地局２１０へ同時通信設定指示を送信する。
【００５１】
また、移動局１１０は、図２のステップＳ２１１の準備処理において、同時通信に用いる無線インターフェースに対応する基地局への通信品質の通知を開始する。たとえば、テーブル５００の例では、同時通信に用いる無線インターフェースに対応する基地局はＬＴＥ基地局１２０（ＬＴＥ  Ｂａｎｄ１，２）、ＷｉＭＡＸ基地局１３０（ＷｉＭＡＸ）およびＷ−ＣＤＭＡ基地局２１０（Ｗ−ＣＤＭＡ  Ｂａｎｄ１）である。したがって、移動局１１０は、ＬＴＥ基地局１２０、ＷｉＭＡＸ基地局１３０およびＷ−ＣＤＭＡ基地局２１０への通信品質の通知を開始する。
【００５２】
また、移動局１１０は、同時通信に用いる無線インターフェースごとに通信品質の通知を行ってもよい。たとえば、移動局１１０は、ＬＴＥ  Ｂａｎｄ１，２に関する各無線状態をＬＴＥ基地局１２０へ通知する。また、移動局１１０は、ＷｉＭＡＸに関する各無線状態をＷｉＭＡＸ基地局１３０へ通知する。また、移動局１１０は、Ｗ−ＣＤＭＡ  Ｂａｎｄ１に関する各無線状態をＷｉＭＡＸ基地局１３０へ通知する。
【００５３】
このように、移動局１１０は、同時通信に用いる無線インターフェースに対応する基地局に対して通信品質を通知し、同時通信に用いない無線インターフェースに対応する基地局に対しては通信品質を通知しないようにする。これにより、たとえば移動局１１０が使用可能なすべての無線インターフェースに対応する基地局に対して通信品質を通知する場合に比べて、周波数資源の利用効率を向上させることができる。
【００５４】
（移動局の構成について）
図６は、移動局の構成例を示すブロック図である。図６に示すように、移動局１１０は、アンテナ６１１と、ＲＦ送受信部６１２と、信号処理部６２１〜６２ｎと、データ送受信部６３０と、決定条件受信部６４０と、待ち受け制御部６５０と、同時通信決定部６６０と、同時通信通知生成部６７０と、通信品質取得部６８１〜６８ｎと、同時通信応答受信部６９１と、品質通知制御部６９２と、を備えている。ＲＦ送受信部６１２は、アンテナ６１１を介して、基地局との間で無線通信を行う。
【００５５】
信号処理部６２１〜６２ｎは、それぞれ異なる無線インターフェースに対応している。信号処理部６２１〜６２ｎのそれぞれは、対応する無線インターフェースによって、アンテナ６１１およびＲＦ送受信部６１２を用いて信号の送受信処理を行う。
【００５６】
信号処理部６２１は、移動局１１０が通信中のＬＴＥ基地局１２０のＬＴＥ方式の帯域に対応する無線インターフェースＢａｎｄ１［Ｓｅｒｖｉｎｇ］に対応している。信号処理部６２１は、アンテナ６１１およびＲＦ送受信部６１２を介して、移動局１１０とＬＴＥ基地局１２０との間の信号の送受信処理を行う。また、信号処理部６２１は、ＬＴＥ基地局１２０から受信した制御信号を決定条件受信部６４０および同時通信応答受信部６９１へ出力する。また、信号処理部６２１は、同時通信通知生成部６７０から出力された同時通信通知をＬＴＥ基地局１２０へ送信する。また、信号処理部６２１は、通信品質取得部６８１から出力された品質情報をＬＴＥ基地局１２０へ送信する。
【００５７】
信号処理部６２２〜６２ｎは、それぞれ無線インターフェースＢａｎｄ２〜ｎ［Ｏｔｈｅｒ］に対応している。無線インターフェースＢａｎｄ２〜ｎは、たとえば、ＷｉＭＡＸ基地局１３０やＷ−ＣＤＭＡ基地局２１０の無線インターフェースである。信号処理部６２２〜６２ｎは、アンテナ６１１およびＲＦ送受信部６１２を介して、移動局１１０と、ＷｉＭＡＸ基地局１３０やＷ−ＣＤＭＡ基地局２１０と、の間の信号の送受信処理を行う。また、信号処理部６２２〜６２ｎは、それぞれ通信品質取得部６８２〜６８ｎから出力された品質情報を、対応する無線インターフェースの基地局へ送信する。
【００５８】
データ送受信部６３０は、信号処理部６２１〜６２ｎを介して、ＬＴＥ基地局１２０、ＷｉＭＡＸ基地局１３０またはＷ−ＣＤＭＡ基地局２１０などの基地局との間でデータの送受信を行う。また、データ送受信部６３０は、たとえば信号処理部６２１〜６２ｎのうちの複数の無線インターフェースを同時に用いる同時通信を行う。
【００５９】
決定条件受信部６４０は、信号処理部６２１から出力された制御信号に含まれる、同時通信の決定条件を受信する。決定条件受信部６４０は、受信した決定条件を待ち受け制御部６５０および同時通信決定部６６０へ出力する。
【００６０】
待ち受け制御部６５０は、信号処理部６２１〜６２ｎにおける待ち受け処理のオン／オフを制御する。たとえば、待ち受け制御部６５０は、同時通信の決定条件が決定条件受信部６４０から出力される前においては、信号処理部６２１〜６２ｎにおける待ち受け処理をオンに設定する。
【００６１】
また、待ち受け制御部６５０は、同時通信の決定条件が決定条件受信部６４０から出力されると、同時通信の決定条件に基づいて信号処理部６２２〜６２ｎにおける待ち受け処理を設定する。たとえば、待ち受け制御部６５０は、信号処理部６２２〜６２ｎのうちの、同時通信の決定条件において同時通信の候補となっている無線インターフェースの待ち受け処理をオンに設定する。また、待ち受け制御部６５０は、信号処理部６２２〜６２ｎのうちの、同時通信の決定条件において同時通信の候補となっていない無線インターフェースの待ち受け処理をオフに設定する。
【００６２】
このように、信号処理部６２１〜６２ｎおよび待ち受け制御部６５０は、同時通信に用いられる無線インターフェースの候補の待ち受け処理を実行し、候補とは異なる無線インターフェースの待ち受け処理を停止する待ち受け制御を行う。これにより、同時通信に用いられる無線インターフェースの候補となっていない無線インターフェースの待ち受け処理を省略し、移動局１１０における処理量を低減することができる。
【００６３】
待ち受け制御部６５０は、同時通信の決定条件に含まれる、同時通信に用いられる無線インターフェースの候補を示す候補情報に基づいて待ち受け制御を行う。候補情報は、たとえば決定条件に含まれる優先度情報である。たとえば図４に示したテーブル４００（優先度情報）には、同時通信に用いられる無線インターフェースの候補が列挙されている。
【００６４】
同時通信決定部６６０は、決定条件受信部６４０から出力された同時通信の決定条件に基づいて、同時通信に用いる無線インターフェースの数（同時通信数）と、同時通信に用いる無線インターフェースと、を決定する。同時通信決定部６６０は、決定した同時通信数および無線インターフェースを同時通信通知生成部６７０へ出力する。
【００６５】
同時通信通知生成部６７０は、同時通信決定部６６０から出力された同時通信数および無線インターフェースを含む同時通信通知を生成する。同時通信通知生成部６７０は、生成した同時通信通知を信号処理部６２１へ出力する。
【００６６】
通信品質取得部６８１〜６８ｎは、それぞれ信号処理部６２１〜６２ｎの各無線インターフェースに対応している。通信品質取得部６８１〜６８ｎのそれぞれは、対応する無線インターフェースにおける移動局１１０の通信品質（たとえばＳＩＮＲやＢＳＲ）を示す品質情報を取得する。たとえば、通信品質取得部６８１〜６８ｎのそれぞれは、対応する無線インターフェースの参照信号を基地局から受信することによって通信品質を測定することによって品質情報を取得する。通信品質取得部６８１〜６８ｎのそれぞれは、取得した品質情報をそれぞれ信号処理部６２１〜６２ｎへ出力する。
【００６７】
また、通信品質取得部６８２〜６８ｎのそれぞれは、品質通知制御部６９２によって品質通知処理をオンに設定されている場合は品質情報を出力する。また、通信品質取得部６８２〜６８ｎのそれぞれは、品質通知制御部６９２によって品質通知処理をオフに設定されている場合は品質情報を出力しない。通信品質取得部６８１は、移動局１１０との通信に使用されている信号処理部６２１に対応しているため品質情報を出力する。
【００６８】
同時通信応答受信部６９１は、信号処理部６２１から出力された制御信号に含まれる同時通信応答を受信する。同時通信応答受信部６９１は、受信した同時通信応答を品質通知制御部６９２へ出力する。
【００６９】
品質通知制御部６９２は、通信品質取得部６８２〜６８ｎにおける品質通知処理のオン／オフを制御する。たとえば、品質通知制御部６９２は、同時通信応答受信部６９１から出力された同時通信応答に基づいて、信号処理部６２２〜６２ｎのうちの移動局１１０が同時通信に用いる無線インターフェースの品質通知処理をオンに設定する。また、品質通知制御部６９２は、同時通信応答受信部６９１から出力された同時通信応答に基づいて、信号処理部６２２〜６２ｎのうちの移動局１１０が同時通信に使用しない無線インターフェースの品質通知処理をオフに設定する。
【００７０】
このように、通信品質取得部６８１〜６８ｎおよび品質通知制御部６９２は、同時通信決定部６６０によって同時通信に用いる無線インターフェースとして決定された無線インターフェースに対応する基地局へ品質情報を通知する。また、通信品質取得部６８１〜６８ｎおよび品質通知制御部６９２は、同時通信決定部６６０によって同時通信に用いる無線インターフェースとして決定されなかった無線インターフェースに対応する基地局へは品質情報を通知しない。これにより、同時通信に使用されない無線インターフェースの品質情報の通知処理を省略し、移動局１１０における処理量を低減することができる。
【００７１】
（同時通信の制御を行う基地局について）
図７は、同時通信の制御を行う基地局を示すブロック図である。ＬＴＥ基地局１２０は、移動局１１０と通信している基地局（Ｓｅｒｖｉｎｇ  ＢＳ）であり、移動局１１０からの同時通信通知に基づいて同時通信の制御を行う。図７に示すように、ＬＴＥ基地局１２０は、アンテナ７１１と、ＲＦ送受信部７１２と、信号処理部７２０と、品質情報受信部７３１と、スケジューラ７３２と、データ送受信部７４１と、分離結合部７４２と、通信部７４３と、通信部７４４と、同時通信通知受信部７５１と、同時通信設定指示生成部７５２と、同時通信応答生成部７５３と、負荷情報受信部７６１と、決定条件生成部７６２と、を備えている。ＲＦ送受信部７１２は、アンテナ７１１を介して、移動局１１０との間で無線通信を行う。
【００７２】
信号処理部７２０は、ＬＴＥ方式の帯域Ｂａｎｄ１［Ｓｅｒｖｉｎｇ］に対応している。信号処理部７２０は、アンテナ７１１およびＲＦ送受信部７１２を介して、移動局１１０との間の信号の送受信処理を行う。信号処理部７２０は、移動局１１０から受信した制御信号を品質情報受信部７３１および同時通信通知受信部７５１へ出力する。
【００７３】
また、信号処理部７２０は、スケジューラ７３２から出力されたスケジューリング結果に基づいてＬＴＥ基地局１２０と移動局１１０との間の通信を制御する。また、信号処理部７２０は、決定条件生成部７６２から出力された同時通信の決定条件を移動局１１０へ送信する。信号処理部７２０は、同時通信応答生成部７５３から出力された同時通信応答を移動局１１０へ送信する。
【００７４】
品質情報受信部７３１は、信号処理部７２０から出力された制御信号に含まれる品質情報を受信する。品質情報受信部７３１は、受信した品質情報をスケジューラ７３２へ出力する。スケジューラ７３２は、品質情報受信部７３１から出力された品質情報に基づいて、ＬＴＥ基地局１２０と移動局１１０との間の通信のスケジューリングを行う。スケジューラ７３２は、スケジューリング結果を信号処理部７２０へ出力する。
【００７５】
データ送受信部７４１は、移動局１１０とコアネットワーク１４０との間のデータ通信を中継する。具体的には、データ送受信部７４１は、信号処理部７２０を介して、移動局１１０との間でデータの送受信を行う。また、データ送受信部７４１は、分離結合部７４２を介して、コアネットワーク１４０との間でデータの送受信を行う。
【００７６】
分離結合部７４２は、通信部７４３を介してコアネットワーク１４０との間でデータの送受信を行う。また、分離結合部７４２は、通信部７４４を介してＬＴＥ基地局１２０の周辺基地局（たとえばＷｉＭＡＸ基地局１３０）との間でデータの送受信を行う。分離結合部７４２は、移動局１１０における同時通信によって伝送されるデータの分離処理および結合処理を行う。
【００７７】
具体的には、分離結合部７４２は、移動局１１０からコアネットワーク１４０へのＵＬについて、ＬＴＥ基地局１２０が移動局１１０から直接受信したデータをデータ送受信部７４１から取得する。また、分離結合部７４２は、ＬＴＥ基地局１２０が移動局１１０からＷｉＭＡＸ基地局１３０を介して受信したデータを通信部７４４から取得する。そして、分離結合部７４２は、取得した各データを結合し、結合したデータを、通信部７４３を介してコアネットワーク１４０へ送信する。
【００７８】
また、分離結合部７４２は、コアネットワーク１４０から移動局１１０へのＤＬについて、通信部７４３を介してコアネットワーク１４０から受信したデータを分離する。そして、分離結合部７４２は、分離した各データの一方をデータ送受信部７４１へ出力する。データ送受信部７４１へ出力されたデータは、ＬＴＥ基地局１２０から移動局１１０へ直接送信される。また、分離結合部７４２は、分離した各データの他方を、通信部７４４を介してＷｉＭＡＸ基地局１３０へ送信する。ＷｉＭＡＸ基地局１３０へ送信されたデータはＷｉＭＡＸ基地局１３０から移動局１１０へ送信される。
【００７９】
通信部７４３は、コアネットワーク１４０との間で通信を行うための通信インターフェースである。通信部７４４は、ＬＴＥ基地局１２０の周辺基地局（たとえばＷｉＭＡＸ基地局１３０）との間で通信を行うための通信インターフェースである。通信部７４４は、ＬＴＥ基地局１２０の周辺基地局から受信した制御信号を負荷情報受信部７６１へ送信する。また、通信部７４４は、同時通信設定指示生成部７５２から出力された同時通信設定指示をＬＴＥ基地局１２０の周辺基地局へ送信する。
【００８０】
同時通信通知受信部７５１は、信号処理部７２０から出力された制御信号に含まれる同時通信通知を受信する。同時通信通知受信部７５１は、受信した同時通信通知を同時通信設定指示生成部７５２および同時通信応答生成部７５３へ出力する。
【００８１】
同時通信設定指示生成部７５２は、同時通信通知受信部７５１から出力された同時通信通知に基づいて同時通信設定指示を生成する。具体的には、同時通信設定指示生成部７５２は、同時通信通知が示す無線インターフェースに対応する基地局に対する同時通信設定指示を生成する。同時通信設定指示には、同時通信の主体となる移動局１１０の識別情報や、同時通信に用いられる無線インターフェースの情報などが含まれる。同時通信設定指示生成部７５２は、生成した同時通信設定指示を通信部７４４へ出力する。
【００８２】
同時通信応答生成部７５３は、同時通信通知受信部７５１から出力された同時通信通知に対する同時通信応答を生成する。同時通信応答生成部７５３は、生成した同時通信応答を信号処理部７２０へ出力する。
【００８３】
負荷情報受信部７６１は、通信部７４４から出力された制御信号に含まれる負荷情報を受信する。負荷情報受信部７６１は、受信した負荷情報を決定条件生成部７６２へ出力する。決定条件生成部７６２は、負荷情報受信部７６１から出力された負荷情報に基づいて、移動局１１０における同時通信の決定条件を生成する。決定条件生成部７６２は、生成した同時通信の決定条件を信号処理部７２０へ出力する。
【００８４】
図８は、同時通信に参加する基地局を示すブロック図である。ＷｉＭＡＸ基地局１３０は、移動局１１０と通信しているＬＴＥ基地局１２０の周辺基地局（Ｏｔｈｅｒ  ＢＳ）であり、ＬＴＥ基地局１２０からの同時通信設定指示に基づいて移動局１１０の同時通信に参加する。図８に示すように、ＷｉＭＡＸ基地局１３０は、アンテナ８１１と、ＲＦ送受信部８１２と、信号処理部８２０と、品質情報受信部８３１と、スケジューラ８３２と、データ送受信部８４１と、通信部８４２と、負荷情報取得部８５０と、同時通信設定指示受信部８６１と、品質受信制御部８６２と、を備えている。ＲＦ送受信部８１２は、アンテナ８１１を介して、移動局１１０との間で無線通信を行う。
【００８５】
信号処理部８２０は、ＬＴＥ方式の帯域Ｂａｎｄｉ［Ｏｔｈｅｒ］に対応している。信号処理部８２０は、アンテナ８１１およびＲＦ送受信部８１２を介して、移動局１１０との間の信号の送受信処理を行う。また、信号処理部８２０は、移動局１１０から受信した制御信号を品質情報受信部８３１へ出力する。また、信号処理部８２０は、スケジューラ８３２から出力されたスケジューリング結果に基づいてＷｉＭＡＸ基地局１３０と移動局１１０との間の通信を制御する。
【００８６】
品質情報受信部８３１は、信号処理部８２０から出力された制御信号に含まれる品質情報を受信する。品質情報受信部８３１は、受信した品質情報をスケジューラ８３２へ出力する。スケジューラ８３２は、品質情報受信部８３１から出力された品質情報に基づいて、ＷｉＭＡＸ基地局１３０と移動局１１０との間の通信のスケジューリングを行う。スケジューラ８３２は、スケジューリング結果を信号処理部８２０へ出力する。
【００８７】
データ送受信部８４１は、移動局１１０とＬＴＥ基地局１２０との間のデータ通信を中継する。具体的には、データ送受信部８４１は、信号処理部８２０を介して、移動局１１０との間でデータの送受信を行う。また、データ送受信部８４１は、通信部８４２を介して、ＬＴＥ基地局１２０との間でデータの送受信を行う。
【００８８】
通信部８４２は、ＷｉＭＡＸ基地局１３０の周辺基地局（たとえばＬＴＥ基地局１２０）との間で通信を行うための通信インターフェースである。通信部８４２は、ＷｉＭＡＸ基地局１３０の周辺基地局から受信した制御信号を同時通信設定指示受信部８６１へ送信する。また、通信部８４２は、負荷情報取得部８５０から出力された負荷情報をＷｉＭＡＸ基地局１３０の周辺基地局へ送信する。
【００８９】
同時通信設定指示受信部８６１は、通信部８４２から出力された制御信号に含まれる同時通信設定指示を受信する。同時通信設定指示受信部８６１は、受信した同時通信設定指示を品質受信制御部８６２へ出力する。
【００９０】
品質受信制御部８６２は、同時通信設定指示受信部８６１から出力された同時通信設定指示に基づいて、品質情報受信部８３１の品質受信処理のオン／オフを制御する。たとえば、品質受信制御部８６２は、ＷｉＭＡＸ基地局１３０の無線インターフェースを用いる同時通信を行う移動局１１０からの品質受信処理をオンに設定する。また、品質受信制御部８６２は、ＷｉＭＡＸ基地局１３０の無線インターフェースを用いる移動局１１０の同時通信が終了すると、移動局１１０からの品質受信処理をオフに設定する。
【００９１】
（移動局の動作について）
図９は、移動局の動作の一例を示すフローチャートである。移動局１１０は、たとえば以下の各ステップを実行する。まず、通信中の基地局（ＬＴＥ基地局１２０）から同時通信の決定条件を受信する（ステップＳ９０１）。つぎに、ステップＳ９０１によって受信された決定条件に基づいて、同時通信に使用する無線インターフェースを決定する（ステップＳ９０２）。
【００９２】
つぎに、直前のステップＳ９０２と、前回のステップＳ９０２と、の決定結果に変化があるか否かを判断する（ステップＳ９０３）。ただし、初回のステップＳ９０３においては、決定結果に変化があるとみなす。決定結果に変化がない場合（ステップＳ９０３：Ｎｏ）は、ステップＳ９０１へ戻る。
【００９３】
ステップＳ９０３において決定結果に変化がある場合（ステップＳ９０３：Ｙｅｓ）は、直前のステップＳ９０２の決定結果を含む同時通信通知を、通信中の基地局（ＬＴＥ基地局１２０）へ送信する（ステップＳ９０４）。つぎに、ステップＳ９０４に対する同時通信応答を受信したか否かを判断し（ステップＳ９０５）、同時通信応答を受信するまで待つ（ステップＳ９０５：Ｎｏのループ）。
【００９４】
ステップＳ９０５において、同時通信応答を受信すると（ステップＳ９０５：Ｙｅｓ）は、同時通信の準備処理を行う（ステップＳ９０６）。つぎに、同時通信によるデータ通信を開始し（ステップＳ９０７）、ステップＳ９０１へ戻る。
【００９５】
以上の各ステップにより、移動局１１０は、受信する決定条件の変化や移動局１１０の通信状態の変化に起因して適切な無線インターフェースが変化した場合に、ＬＴＥ基地局１２０へ同時通信通知を再度送信して無線インターフェースを変更することができる。これにより、ＬＴＥ基地局１２０の周辺基地局の負荷量や移動局１１０の通信状態の変化に応じて適切な同時通信を行うことができる。
【００９６】
（基地局の動作について）
図１０は、同時通信の制御を行う基地局による決定条件の送信動作の一例を示すフローチャートである。ＬＴＥ基地局１２０は、決定条件の送信動作としてたとえば以下の各ステップを実行する。まず、周辺基地局から負荷情報を収集する（ステップＳ１００１）。周辺基地局は、たとえば図２に示した例ではＷｉＭＡＸ基地局１３０やＷ−ＣＤＭＡ基地局２１０である。
【００９７】
つぎに、ステップＳ１００１によって収集された負荷情報に基づいて、移動局１１０における同時通信の決定条件を生成する（ステップＳ１００２）。つぎに、ステップＳ１００２によって生成された同時通信の決定条件を移動局１１０へ送信し（ステップＳ１００３）、ステップＳ１００１へ戻る。
【００９８】
以上の各ステップにより、ＬＴＥ基地局１２０は、周辺基地局の負荷情報を周期的に収集し、移動局１１０における同時通信の決定条件を周期的に移動局１１０へ送信することができる。これにより、ＬＴＥ基地局１２０の周辺基地局の負荷量の変化に応じた適切な決定条件によって、同時通信の決定を移動局１１０に行わせることができる。
【００９９】
図１１は、同時通信の制御を行う基地局による同時通信の制御動作の一例を示すフローチャートである。ＬＴＥ基地局１２０は、同時通信の制御動作としてたとえば以下の各ステップを実行する。まず、同時通信の決定結果を示す同時通信通知を移動局１１０から受信したか否かを判断し（ステップＳ１１０１）、同時通信通知を受信するまで待つ（ステップＳ１１０１：Ｎｏのループ）。
【０１００】
ステップＳ１１０１において同時通信通知を受信すると（ステップＳ１１０１：Ｙｅｓ）、受信した同時通信通知に基づいて、同時通信に用いられる無線インターフェースに対応する周辺基地局へ同時通信設定指示を送信する（ステップＳ１１０２）。また、受信した同時通信設定指示に対する同時通信応答を移動局１１０へ送信する（ステップＳ１１０３）。つぎに、移動局１１０の同時通信の中継を開始し（ステップＳ１１０４）、ステップＳ１１０１へ戻る。以上の各ステップにより、ＬＴＥ基地局１２０は、移動局１１０における同時通信の制御を行うことができる。
【０１０１】
図１２は、同時通信に参加する基地局による動作の一例を示すフローチャートである。移動局１１０の同時通信に参加するＷｉＭＡＸ基地局１３０やＷ−ＣＤＭＡ基地局２１０は、たとえば以下の各ステップを実行する。まず、負荷情報を周辺基地局へ送信する（ステップＳ１２０１）。たとえば、ＷｉＭＡＸ基地局１３０は、ＬＴＥ基地局１２０やＷ−ＣＤＭＡ基地局２１０へ自局の各無線インターフェースにおける負荷量を示す負荷情報を送信する。また、Ｗ−ＣＤＭＡ基地局２１０は、ＬＴＥ基地局１２０やＷｉＭＡＸ基地局１３０へ自局の負荷量を示す負荷情報を送信する。
【０１０２】
つぎに、負荷情報を送信した周辺基地局からの同時通信設定指示を受信したか否かを判断する（ステップＳ１２０２）。同時通信設定指示を受信していない場合（ステップＳ１２０２：Ｎｏ）は、ステップＳ１２０１へ戻る。同時通信設定指示を受信した場合（ステップＳ１２０２：Ｙｅｓ）は、受信した同時通信設定指示に基づいて移動局１１０における同時通信の準備処理を行う（ステップＳ１２０３）。
【０１０３】
つぎに、移動局１１０における同時通信の中継を開始し（ステップＳ１２０４）、ステップＳ１２０１へ戻る。以上の各ステップにより、ＷｉＭＡＸ基地局１３０やＷ−ＣＤＭＡ基地局２１０は、自局の負荷情報を周期的にＬＴＥ基地局１２０へ送信するとともに、ＬＴＥ基地局１２０から同時通信設定指示を受信した場合に移動局１１０の同時通信に参加することができる。
【０１０４】
（同時通信の決定条件の生成について）＜優先度情報の生成について＞
図１３は、基地局による優先度情報の生成動作の具体例１を示すフローチャートである。ＬＴＥ基地局１２０は、優先度情報の生成動作としてたとえば以下の各ステップを実行する。まず、各無線インターフェースの負荷情報を取得する（ステップＳ１３０１）。つぎに、各無線インターフェースを、ステップＳ１３０１によって取得された負荷情報で昇順にソートする（ステップＳ１３０２）。具体的には、各無線インターフェースを負荷量が小さい順にソートする。
【０１０５】
つぎに、ステップＳ１３０２によるソートの結果に基づいて各無線インターフェースの優先度を決定する（ステップＳ１３０３）。具体的には、負荷が小さい無線インターフェースほど優先度が高くなるように優先度を決定する。つぎに、ステップＳ１３０３による決定結果を、移動局１１０が使用している全ベアラに適用した優先度情報を生成し（ステップＳ１３０４）、一連の動作を終了する。
【０１０６】
図１４は、基地局による優先度情報の生成動作の具体例２を示すフローチャートである。ＬＴＥ基地局１２０は、優先度情報の生成動作としてたとえば以下の各ステップを実行してもよい。図１４に示すステップＳ１４０１〜Ｓ１４０３は、図１３に示したステップＳ１３０１〜Ｓ１３０３と同様であるため説明を省略する。
【０１０７】
ステップＳ１４０３のつぎに、ステップＳ１４０３による決定結果を、移動局１１０が使用しているＧＢＲベアラに適用した優先度情報を生成し（ステップＳ１４０４）、一連の動作を終了する。ＧＢＲベアラは、たとえば、移動局１１０が使用している各ベアラのうちの最低の伝送速度が保証されるベアラ（たとえばＶｏＩＰ）である。
【０１０８】
この場合は、移動局１１０が使用している各ベアラのうちの最低の伝送速度が保証されていないベアラ（たとえばＢＥ）においては同時通信の決定条件が生成されない。移動局１１０は、同時通信の決定条件が決定されていないベアラについては同時通信を行わない。このように、ＧＢＲベアラについては同時通信を行い、最低の伝送速度が保証されないベアラについては同時通信を行わないことで、ＧＢＲベアラのスループットを向上させつつ、同時通信による他のトラフィックの増加を抑えることができる。
【０１０９】
図１５は、基地局による優先度情報の生成動作の具体例３を示すフローチャートである。ＬＴＥ基地局１２０は、優先度情報の生成動作として、移動局１１０が使用しているベアラごとに、たとえば以下の各ステップを実行してもよい。まず、該当ベアラの優先度情報を生成する（ステップＳ１５０１）。ステップＳ１５０１は、たとえば図１３に示した各ステップによって実現することができる。
【０１１０】
つぎに、無線インターフェースごとのベアラサポート情報を取得する（ステップＳ１５０２）。ベアラサポート情報は、無線インターフェースがサポートしているベアラを示す情報である。つぎに、ステップＳ１５０２によって取得されたベアラサポート情報に基づいて、該当ベアラをサポートしていない無線インターフェースがあるか否かを判断する（ステップＳ１５０３）。
【０１１１】
ステップＳ１５０３において、該当ベアラをサポートしていない無線インターフェースがない場合（ステップＳ１５０３：Ｎｏ）は、一連の動作を終了する。該当ベアラをサポートしていない無線インターフェースがある場合（ステップＳ１５０３：Ｙｅｓ）は、ステップＳ１５０１によって生成された優先度情報から、該当ベアラをサポートしていない無線インターフェースを削除し（ステップＳ１５０４）、一連の動作を終了する。
【０１１２】
以上の各ステップをベアラごとに実行することで、各ベアラの優先度情報から、該当ベアラをサポートしていない無線インターフェースを除外することができる。これにより、移動局１１０において同時通信の決定を効率よく行うことができる。ＬＴＥ基地局１２０は、たとえば、無線インターフェースごとのベアラサポート情報をあらかじめメモリに記憶している。または、ＬＴＥ基地局１２０は、無線インターフェースごとのベアラサポート情報を、各無線インターフェースに対応する基地局に問い合わせて取得してもよい。
【０１１３】
図１６は、基地局による優先度情報の生成動作の具体例４を示すフローチャートである。ＬＴＥ基地局１２０は、優先度情報の生成動作として、移動局１１０が使用しているベアラごとに、たとえば以下の各ステップを実行してもよい。まず、該当ベアラの優先度情報を生成する（ステップＳ１６０１）。ステップＳ１６０１は、たとえば図１３に示した各ステップによって実現することができる。
【０１１４】
つぎに、無線インターフェースごとの負荷情報を取得する（ステップＳ１６０２）。たとえば、ＬＴＥ基地局１２０は、周辺基地局が対応する構成無線インターフェースの負荷情報を周辺基地局から受信する。また、ＬＴＥ基地局１２０は、自局が対応する構成無線インターフェースの負荷情報を自局の管理情報から取得する。つぎに、ステップＳ１６０２によって取得された負荷情報に基づいて、負荷量が閾値以上の無線インターフェースがあるか否かを判断する（ステップＳ１６０３）。
【０１１５】
ステップＳ１６０３において、負荷量が閾値以上の無線インターフェースがない場合（ステップＳ１６０３：Ｎｏ）は、一連の動作を終了する。負荷量が閾値以上の無線インターフェースがある場合（ステップＳ１６０３：Ｙｅｓ）は、ステップＳ１６０１によって生成された優先度情報から、負荷量が閾値以上の無線インターフェースを削除し（ステップＳ１６０４）、一連の動作を終了する。
【０１１６】
以上の各ステップをベアラごとに実行することで、各ベアラの優先度情報から、負荷量が閾値以上の無線インターフェースを除外することができる。これにより、移動局１１０における同時通信が、負荷量が閾値未満の無線インターフェースによって行われる。このため、同時通信のスループットを向上させることができる。
【０１１７】
ＬＴＥ基地局１２０は、たとえば、ステップＳ１６０３において負荷量と比較する閾値をあらかじめメモリに記憶している。また、ＬＴＥ基地局１２０は、ベアラごとに異なる閾値をメモリに記憶していてもよい。この場合は、ＬＴＥ基地局１２０は、ステップＳ１６０３において、ベアラごとに異なる閾値と負荷量とを比較する。これにより、移動局１１０における同時通信の通信品質をベアラごとに制御することができる。たとえば、確実に通信を行う必要性があるベアラ（たとえば緊急呼やＧＢＲ）の閾値は大きく設定し、遅延耐性の大きいベアラ（たとえばＢＥ）の閾値は小さく設定する。
【０１１８】
図１７は、基地局による優先度情報の生成動作の具体例５を示すフローチャートである。ＬＴＥ基地局１２０は、優先度情報の生成動作として、自セルに属する移動局（たとえば移動局１１０）ごとに、たとえば以下の各ステップを実行してもよい。まず、該当移動局の優先度情報を生成する（ステップＳ１７０１）。ステップＳ１７０１は、たとえば図１３に示した各ステップによって実現することができる。
【０１１９】
つぎに、該当移動局の機能情報（Ｃａｐａｂｉｌｉｔｙ）を取得する（ステップＳ１７０２）。機能情報は、移動局が対応している無線インターフェースを示す情報である。つぎに、ステップＳ１７０２によって取得された機能情報に基づいて、該当移動局が対応していない無線インターフェースがあるか否かを判断する（ステップＳ１７０３）。
【０１２０】
ステップＳ１７０３において、該当移動局が対応していない無線インターフェースがない場合（ステップＳ１７０３：Ｎｏ）は、一連の動作を終了する。該当移動局が対応していない無線インターフェースがある場合（ステップＳ１７０３：Ｙｅｓ）は、ステップＳ１７０１によって生成された優先度情報から、該当移動局が対応していない無線インターフェースを削除し（ステップＳ１７０４）、一連の動作を終了する。
【０１２１】
以上の各ステップを移動局ごとに実行することで、各移動局の優先度情報から、該当移動局が対応していない無線インターフェースを除外することができる。これにより、移動局１１０において、同時通信の決定を効率よく行うことができる。ＬＴＥ基地局１２０は、たとえば、移動局ごとの機能情報をあらかじめメモリに記憶している。または、ＬＴＥ基地局１２０は、移動局ごとの機能情報を、各移動局に問い合わせて取得してもよい。ＬＴＥ基地局１２０は、図１７の各ステップによって生成した優先度情報を含む決定条件を、たとえばユニキャストによって各移動局へ送信する（たとえば図２７）。
【０１２２】
＜同時通信数の対応情報の生成について＞
図１８は、基地局による対応情報の生成動作の具体例を示すフローチャートである。ＬＴＥ基地局１２０は、同時通信数の対応情報の生成動作としてたとえば以下の各ステップを実行する。まず、各無線インターフェースの負荷情報を取得する（ステップＳ１８０１）。つぎに、ステップＳ１８０１によって取得された各無線インターフェースの負荷情報の平均値を算出する（ステップＳ１８０２）。たとえば、負荷情報として無線使用率を用いる場合において、２つの無線インターフェースが用いられるとする。この場合において、一方の無線インターフェースの無線使用率が４０％であり、他方の無線インターフェースの無線使用率が８０％であれば、６０％が負荷情報の平均値として算出される。
【０１２３】
つぎに、各無線インターフェースの負荷情報の平均値と、同時通信数の対応情報と、が対応付けられた対応テーブルを取得する（ステップＳ１８０３）。つぎに、ステップＳ１８０２によって算出された平均値と、ステップＳ１８０３によって取得された対応テーブルと、に基づいて同時通信数の対応情報を選択し（ステップＳ１８０４）、一連の動作を終了する。ＬＴＥ基地局１２０は、ステップＳ１８０４によって選択された対応情報を同時通信の決定条件として移動局１１０へ送信する。
【０１２４】
図１９は、負荷情報の平均値と対応情報の対応テーブルの具体例１を示す図である。図２０は、同時通信数の対応情報の具体例１を示す図である。図２１は、同時通信数の対応情報の具体例２を示す図である。ＬＴＥ基地局１２０は、たとえば、各無線インターフェースの負荷情報の平均値と、同時通信数の対応情報と、が対応付けられた対応テーブルをベアラごとに記憶している。
【０１２５】
ＬＴＥ基地局１２０は、たとえば、図１９に示す対応テーブル１９００をＶｏＩＰのベアラに対応する対応テーブルとして記憶している。また、ＬＴＥ基地局１２０は、対応情報ＶｏＩＰ−Ａ（図２０参照）、対応情報ＶｏＩＰ−Ｂ（図２１参照）および対応情報ＶｏＩＰ−Ｃ（不図示）を同時通信数の対応情報の候補としてメモリに記憶している。
【０１２６】
対応テーブル１９００においては、負荷情報の平均値０〜５０［％］の範囲が対応情報ＶｏＩＰ−Ａに対応付けられている。また、対応テーブル１９００においては、負荷情報の平均値が５１〜７５［％］の範囲が対応情報ＶｏＩＰ−Ｂに対応付けられている。また、対応テーブル１９００においては、負荷情報の平均値が７６〜１００［％］の範囲が対応情報ＶｏＩＰ−Ｃに対応付けられている。
【０１２７】
ここでは、対応テーブル１９００において、負荷情報の平均値が大きいほど、同時通信が実行されにくい対応情報が対応付けられている。たとえば、対応情報ＶｏＩＰ−Ｂ（図２１参照）は、対応情報ＶｏＩＰ−Ａ（図２０参照）に比べて同時通信数が１になる負荷情報の平均値の範囲が広く設定されている。
【０１２８】
ＬＴＥ基地局１２０は、図１８のステップＳ１８０３において、負荷情報の平均値に対応する対応情報を対応テーブル１９００から選択する。そして、ＬＴＥ基地局１２０は、選択した対応情報をメモリから読み出し、読み出した対応情報をＶｏＩＰのベアラに対応する同時通信の決定条件として移動局１１０へ送信する。
【０１２９】
図２２は、負荷情報の平均値と対応情報の対応テーブルの具体例２を示す図である。図２３は、同時通信数の対応情報の具体例３を示す図である。ＬＴＥ基地局１２０は、たとえば、図２２に示す対応テーブル２２００をＢＥのベアラに対応する対応テーブルとして記憶している。また、ＬＴＥ基地局１２０は、対応情報ＢＥ−Ａ（不図示）および対応情報ＢＥ−Ｂ（図２３参照）を同時通信数の対応情報の候補としてメモリに記憶している。
【０１３０】
対応テーブル２２００においては、負荷情報の平均値が０〜６０［％］の範囲が対応情報ＢＥ−Ａに対応付けられている。また、対応テーブル２２００においては、負荷情報の平均値が６１〜１００［％］の範囲が対応情報ＢＥ−Ｂに対応付けられている。
【０１３１】
ＬＴＥ基地局１２０は、図１８のステップＳ１８０３において、負荷情報の平均値に対応する対応情報を対応テーブル２２００から選択する。そして、ＬＴＥ基地局１２０は、選択した対応情報をメモリから読み出し、読み出した対応情報をＢＥのベアラに対応する同時通信の決定条件として移動局１１０へ送信する。
【０１３２】
対応情報ＢＥ−Ｂにおいては、移動局１１０の最大伝送遅延量（伝送遅延）と移動局１１０のスループットとの組み合わせの各範囲ごとに同時通信数が対応付けられている。このように、同時通信数の対応情報においては、移動局１１０の複数の種類の通信状態（たとえば最大伝送遅延量とスループット）の組み合わせと、同時通信数とが対応付けられていてもよい。これにより、移動局１１０の複数種類の通信状態に応じて同時通信数を柔軟に設定することができる。
【０１３３】
図２４は、同時通信の実行条件情報の具体例を示す図である。ＬＴＥ基地局１２０は、たとえば、同時通信数の対応情報とともに、たとえば図２４に示すテーブル２４００を同時通信の実行条件情報として移動局１１０へ送信してもよい。テーブル２４００は、移動局１１０の状態と、同時通信を実行するか否かを示す情報（ＯＫまたはＮＧ）が対応付けられている。ここでは、移動局１１０の状態として電池残量を用いている。
【０１３４】
テーブル２４００においては、移動局１１０の電池残量が３１〜１００［％］の範囲が同時通信ＯＫに対応付けられている。テーブル２４００においては、移動局１１０の電池残量が０〜３０［％］の範囲が同時通信ＮＧに対応付けられている。移動局１１０は、同時通信の決定条件としてＬＴＥ基地局１２０から受信したテーブル２４００と移動局１１０の電池残量に基づいて同時通信を実行するか否かを判断する。
【０１３５】
具体的には、移動局１１０は、電池残量が０〜３０［％］の場合は、同時通信を実行しない（ＮＧ）と判断し、移動局１１０の通信状態に関わらず同時通信数を１に決定する。また、移動局１１０は、電池残量が３１〜１００［％］の場合は、同時通信を実行すると判断し、同時通信数の対応情報に基づいて同時通信の同時通信数を決定する。
【０１３６】
このように、ＬＴＥ基地局１２０から移動局１１０へ送信する同時通信の決定条件に、同時通信を実行するか否かを判断するための実行条件を示す実行条件情報（テーブル２４００）を含めてもよい。移動局１１０は、決定条件に含まれる実行条件情報に基づいて同時通信の決定を行う。これにより、電池残量の不足など同時通信の実行が望ましくない場合に、移動局１１０の通信状態に関わらず同時通信を行わないようにすることができる。
【０１３７】
（同時通信の決定条件の送信について）
図２５は、ブロードキャストによる決定条件の送信を示す図である。図２５に示す移動局１１１，１１２のそれぞれは、上述した移動局１１０に対応する移動局である。ＬＴＥ基地局１２０は、同時通信の決定条件を生成し、生成した決定条件を、自セル内の移動局へブロードキャストによって送信する。これにより、同時通信の決定条件の送信に用いる制御チャネルの無線使用量を低減することができる。
【０１３８】
図２６は、図２５に示した決定条件の送信を示すシーケンス図である。まず、ＬＴＥ基地局１２０が、移動局１１１，１１２に対して共通の同時通信の決定条件を生成する（ステップＳ２６０１）。つぎに、ＬＴＥ基地局１２０が、ステップＳ２６０１によって生成された同時通信の決定条件をブロードキャストによって送信し（ステップＳ２６０２）、一連の動作を終了する。ステップＳ２６０２によって送信された同時通信の決定条件は、移動局１１１，１１２によって受信される。移動局１１１，１１２は、それぞれ共通の決定条件に基づいて同時通信の決定を行う。
【０１３９】
図２７は、ユニキャストによる決定条件の送信を示す図である。ＬＴＥ基地局１２０は、たとえば、移動局１１１，１１２のそれぞれの同時通信の決定条件を生成し、生成した決定条件をユニキャストによってそれぞれ移動局１１１，１１２へ送信する。これにより、移動局１１１，１１２のそれぞれの通信能力や通信状態に応じて生成した決定条件を送信することができる。このため、同時通信の制御を柔軟に行うことができる。
【０１４０】
図２８は、図２７に示した決定条件の送信を示すシーケンス図である。まず、ＬＴＥ基地局１２０が、移動局１１２の同時通信の決定条件を生成する（ステップＳ２８０１）。つぎに、ＬＴＥ基地局１２０が、ステップＳ２８０１によって生成された同時通信の決定条件をユニキャストによって移動局１１２へ送信する（ステップＳ２８０２）。
【０１４１】
つぎに、ＬＴＥ基地局１２０が、移動局１１１の同時通信の決定条件を生成する（ステップＳ２８０３）。つぎに、ＬＴＥ基地局１２０が、ステップＳ２８０３によって生成された同時通信の決定条件をユニキャストによって移動局１１１へ送信し（ステップＳ２８０４）、一連の動作を終了する。移動局１１１，１１２は、それぞれ受信した決定条件に基づいて同時通信の決定を行う。
【０１４２】
このように、実施の形態にかかる通信システム１００によれば、移動局１１０の通信状態に基づく同時通信の決定を移動局１１０側で行うことで、移動局１１０からＬＴＥ基地局１２０へ通信状態を通知しなくても同時通信が可能になる。これにより、移動局１１０からＬＴＥ基地局１２０へ送信される制御情報を低減し、通信システム１００のスループットを向上させることができる。
【０１４３】
また、移動局１１０は、同時通信の決定条件であって自局の通信状態をパラメータに含む決定条件をＬＴＥ基地局１２０から受信し、受信した決定条件および自局の通信状態に基づいて同時通信の実行を決定する。これにより、移動局１１０における同時通信の制御指針をＬＴＥ基地局１２０側で制御することができる。これにより、通信システム１００の通信を効率よく行うことができる。
【０１４４】
たとえば、移動局１１０は、自局の通信状態と無線インターフェースの数とを対応付ける対応情報を含む決定条件を受信し、対応情報および自局の通信状態に基づいて、同時通信に用いる無線インターフェースの数を決定する。これにより、移動局１１０における同時通信の同時通信数に関する制御指針をＬＴＥ基地局１２０側で制御することができる。ただし、自局の通信状態と無線インターフェースの数とを対応付ける対応情報をあらかじめ移動局１１０に記憶しておき、移動局１１０は記憶している対応情報および自局の通信状態に基づいて、同時通信数を決定することも可能である。
【０１４５】
また、移動局１１０は、複数の無線インターフェースの優先度を示す優先度情報を含む決定条件を受信し、優先度情報に基づいて、同時通信に用いる無線インターフェースを決定する。これにより、移動局１１０における同時通信において用いられる無線インターフェースに関する制御指針をＬＴＥ基地局１２０側で制御することができる。ただし、複数の無線インターフェースの優先度を示す優先度情報をあらかじめ移動局１１０に記憶しておき、移動局１１０は記憶している優先度情報に基づいて、同時通信に用いる無線インターフェースを決定することも可能である。
【０１４６】
なお、上述した実施の形態においては、移動局１１０が、ＷｉＭＡＸ基地局１３０を同時通信に参加（無線インターフェースの追加）させる決定を行う場合について説明したが、移動局１１０による同時通信の決定はこれに限らない。たとえば、移動局１１０は、同時通信に参加していたＷｉＭＡＸ基地局１３０を同時通信から除外（無線インターフェースの削除）させる決定を行ってもよい。
【０１４７】
以上説明したように、開示技術によれば、スループットを向上させることができる。
【０１４８】
上述した実施の形態に関し、さらに以下の付記を開示する。
【０１４９】
（付記１）無線方式および周波数帯域の少なくともいずれかが異なる複数の無線インターフェースにより通信可能な移動局において、
前記複数の無線インターフェースを同時に用いて通信する同時通信の実行を自局の通信状態に基づいて決定する決定部と、
前記決定部による決定結果に基づいて前記同時通信を行う通信部と、
を備えることを特徴とする移動局。
【０１５０】
（付記２）前記同時通信の決定条件であって前記通信状態をパラメータに含む決定条件を基地局から受信する受信部を備え、
前記決定部は、前記受信部によって受信された決定条件および前記通信状態に基づいて前記同時通信の実行を決定することを特徴とする付記１に記載の移動局。
【０１５１】
（付記３）前記決定条件は、前記通信状態と前記無線インターフェースの数とを対応付ける対応情報を含み、
前記決定部は、前記対応情報および前記通信状態に基づいて、前記同時通信に用いる前記無線インターフェースの数を決定し、
前記通信部は、前記決定部によって決定された数の無線インターフェースを同時に用いて前記同時通信を行うことを特徴とする付記２に記載の移動局。
【０１５２】
（付記４）前記対応情報は、複数の種類の前記通信状態の組み合わせと前記無線インターフェースの数とを対応付けていることを特徴とする付記３に記載の移動局。
【０１５３】
（付記５）前記決定条件は、前記複数の無線インターフェースの優先度を示す優先度情報を含み、
前記決定部は、前記優先度情報に基づいて、前記同時通信に用いる無線インターフェースを決定し、
前記通信部は、前記決定部によって決定された無線インターフェースを用いて前記同時通信を行うことを特徴とする付記２に記載の移動局。
【０１５４】
（付記６）前記複数の無線インターフェースの各通信品質を取得する取得部を備え、
前記決定部は、前記取得部によって取得された通信品質が閾値未満の無線インターフェースを除外して前記同時通信に用いる無線インターフェースを決定することを特徴とする付記５に記載の移動局。
【０１５５】
（付記７）前記決定部は、ベアラごとに前記同時通信の実行を決定することを特徴とする付記１に記載の移動局。
【０１５６】
（付記８）前記決定部による決定結果を基地局へ送信する送信部を備え、
前記通信部は、前記送信部によって送信された決定結果に基づく前記基地局の制御によって前記同時通信を行うことを特徴とする付記１に記載の移動局。
【０１５７】
（付記９）前記決定条件は、前記同時通信に用いられる無線インターフェースの候補を示す候補情報を含み、
前記候補情報に基づいて、前記候補の無線インターフェースの待ち受け処理を実行し、前記複数の無線インターフェースのうちの前記候補とは異なる無線インターフェースの待ち受け処理を停止する待ち受け部を備えることを特徴とする付記２に記載の移動局。
【０１５８】
（付記１０）前記決定部によって決定された無線インターフェースに対応する基地局へ前記決定された無線インターフェースの通信品質を通知し、前記複数の無線インターフェースのうちの前記決定された無線インターフェースと異なる基地局へは通信品質を通知しない通知部を備えることを特徴とする付記１に記載の移動局。
【０１５９】
（付記１１）前記決定条件は、前記同時通信を実行するか否かを判断するための実行条件を示す実行条件情報を含み、
前記決定部は、前記実行条件に基づいて前記同時通信の決定を行うことを特徴とする付記２に記載の移動局。
【０１６０】
（付記１２）無線方式および周波数帯域の少なくともいずれかが異なる複数の無線インターフェースにより通信可能な移動局との間で無線通信を行う基地局において、
前記複数の無線インターフェースを同時に用いて通信する同時通信の実行を決定したことを示す同時通信通知を前記移動局から受信する受信部と、
前記受信部によって受信された同時通信通知に基づいて前記同時通信の制御を行う制御部と、
を備えることを特徴とする基地局。
【０１６１】
（付記１３）前記同時通信の決定条件であって前記移動局の通信状態をパラメータに含む決定条件を前記移動局へ送信する送信部を備えることを特徴とする付記１２に記載の基地局。
【０１６２】
（付記１４）前記複数の無線インターフェースに対応する基地局における前記複数の無線インターフェースの各負荷量を示す負荷情報を取得する取得部と、
前記取得部によって取得された各負荷情報に基づいて前記決定条件を生成する生成部と、を備え、
前記送信部は、前記生成部によって生成された決定条件を送信することを特徴とする付記１３に記載の基地局。
【０１６３】
（付記１５）無線方式および周波数帯域の少なくともいずれかが異なる複数の無線インターフェースにより通信可能な移動局であって、前記複数の無線インターフェースを同時に用いて通信する同時通信の実行を自局の通信状態に基づいて決定する移動局と、
前記移動局との間で無線通信を行う基地局であって、前記移動局によって決定された前記同時通信の制御を行う基地局と、
を含むことを特徴とする通信システム。
【０１６４】
（付記１６）無線方式および周波数帯域の少なくともいずれかが異なる複数の無線インターフェースにより通信可能な移動局と、前記移動局との間で無線通信を行う基地局と、を含む通信システムの通信方法において、
前記複数の無線インターフェースを同時に用いて通信する同時通信の実行を前記移動局の通信状態に基づいて前記移動局で決定し、
前記移動局によって決定された前記同時通信の制御を前記基地局で行うことを特徴とする通信方法。
【符号の説明】
【０１６５】
１００  通信システム
１１０，１１１，１１２  移動局
１２０  ＬＴＥ基地局
１３０  ＷｉＭＡＸ基地局
１４０  コアネットワーク
【図１】
0005482890.tif 000002
【図２】
0005482890.tif 000003
【図３】
0005482890.tif 000004
【図４】
0005482890.tif 000005
【図５】
0005482890.tif 000006
【図６】
0005482890.tif 000007
【図７】
0005482890.tif 000008
【図８】
0005482890.tif 000009
【図９】
0005482890.tif 000010
【図１０】
0005482890.tif 000011
【図１１】
0005482890.tif 000012
【図１２】
0005482890.tif 000013
【図１３】
0005482890.tif 000014
【図１４】
0005482890.tif 000015
【図１５】
0005482890.tif 000016
【図１６】
0005482890.tif 000017
【図１７】
0005482890.tif 000018
【図１８】
0005482890.tif 000019
【図１９】
0005482890.tif 000020
【図２０】
0005482890.tif 000021
【図２１】
0005482890.tif 000022
【図２２】
0005482890.tif 000023
【図２３】
0005482890.tif 000024
【図２４】
0005482890.tif 000025
【図２５】
0005482890.tif 000026
【図２６】
0005482890.tif 000027
【図２７】
0005482890.tif 000028
【図２８】
0005482890.tif 000029